(57)【特許請求の範囲】
【請求項１】
工具本体（３）に落下防止用の索条部材（４）が連結された工具であって、
索条部材（４）はハンマー本体（３）に連結される第１索条部（７）と作業者側に連結される第２索条部（８）とを備え、工具本体（３）の一部が第１索条部（７）を収納する収納部（６Ａ）とされ、第１索条部（７）はその基部が工具本体（３）に連結されて、その先端側が繰り出し可能になるように収納部（６Ａ）内に収納され、第２索条部（８）が第１索条部（７）の先端側に連結されて収納部（６Ａ）から外方に突出されていることを特徴とする工具。
【請求項２】
工具本体（３）は、ハンマー頭部（５）とハンマー柄（６）とを備えるハンマー本体とされ、ハンマー柄（６）がパイプ材により構成されて筒状の収納部（６Ａ）とされていることを特徴とする請求項１に記載の工具。
【請求項３】
ハンマー柄（６）の先端部の取付筒部（１３）がハンマー頭部（５）に内嵌固定され、ハンマー柄（６）にハンマー頭部（５）を固定すべくハンマー頭部（５）と取付筒部（１３）とに固定ピン（１４）が貫通されており、第１索条部（７）の基端部に基端ループ部（１９）が形成され、取付筒部（１３）内で基端ループ部（１９）が固定ピン（１４）に外嵌されることにより第１索条部（７）の基部がハンマー本体（３）に連結されていることを特徴とする請求項２に記載の工具。
【請求項４】
前記第１索条部（７）が、長手方向に引っ張ることにより弾性変形によって伸長しかつその引張力を解除することによって元の縮小した状態に戻るようにした伸縮自在な螺旋コード（７Ａ）で構成されていることを特徴とする請求項１〜３のいずれかに記載の工具。
【請求項５】
前記第２索条部（８）は、複数のリング体（２５）を屈曲自在に繋いでなるチェーン（８Ａ）で構成され、第２索条部（８）の先端部に作業者側に着脱自在に連結される連結体（２９）が設けられていることを特徴とする請求項１〜４のいずれかに記載の工具。
【発明の詳細な説明】
【技術分野】
【０００１】
本発明は、工具本体が落下するのを防止する落下防止用の索条部材を具備した工具に関するものである。
【背景技術】
【０００２】
落下を防止するようにした工具には、一端部が作業者の腰ベルトに連結され、他端部が工具本体に連結される落下防止用の索条部材を備えたものがある。
この種の従来の工具には、索条部材が伸縮自在の螺旋コードと線状コードとにより構成され、索条部材の一端部を第１連結体を介して作業者の腰ベルトに連結すると共に、索条部材の他端部を第２連結体を介して工具本体に連結し、この工具本体を腰ベルトの側部に設けた工具サックや工具止め輪に保持するようにし、高所等で作業する際に、工具本体を工具サックや工具止め輪から取り出して作業をし、この際に工具本体が手から外れて落下しても、工具本体が落下防止用の索条部材で作業者の腰ベルトに連結されていることにより、工具本体が高所から大きく落下することがないようにしたものがある（例えば特許文献１）。
【先行技術文献】
【特許文献】
【０００３】
【特許文献１】特開２００９−２９７８１９号公報
【発明の概要】
【発明が解決しようとする課題】
【０００４】
しかし、従来の場合、螺旋コードを含んだ落下防止用の索条部材が全長に亘って工具本体から外方に長く突出しているので、工具本体を腰ベルトの工具サックや工具止め輪に保持している際に、索条部材の長手方向の中央部が大きな円弧で湾曲して下方に長く垂れた状態になるため、作業者が動き回る際や作業中等に索条部材の中央部が突起物等に引っ掛かり易くなり、作業の邪魔になるという問題があった。また、工具サックや工具止め輪に保持したり取り出したりする際に長い索条部材が邪魔になるという問題があった。
【０００５】
本発明は上記問題点に鑑み、工具本体を腰ベルト等に保持している際に、落下防止具用の索条部材が突起物等に引っ掛かるのを防止できると共に、工具本体を工具サックや工具止め輪に対して出し入れし易い工具を提供することを目的としている。
【課題を解決するための手段】
【０００６】
本発明における課題解決のための具体的手段は、次の通りである。
この技術的課題を解決する本発明の技術的手段は、工具本体３に落下防止用の索条部材４が連結された工具であって、
索条部材４はハンマー本体３に連結される第１索条部７と作業者側に連結される第２索条部８とを備え、工具本体３の一部が第１索条部７を収納する収納部６Ａとされ、第１索条部７はその基部が工具本体３に連結されて、その先端側が繰り出し可能になるように収納部６Ａ内に収納され、第２索条部８が第１索条部７の先端側に連結されて収納部６Ａから外方に突出されている点にある。
【０００７】
また、本発明の他の技術的手段は、工具本体３は、ハンマー頭部５とハンマー柄６とを備えるハンマー本体とされ、ハンマー柄６がパイプ材により構成されて筒状の収納部６Ａとされている点にある。
また、本発明の他の技術的手段は、ハンマー柄６の先端部の取付筒部１３がハンマー頭部５に内嵌固定され、ハンマー柄６にハンマー頭部５を固定すべくハンマー頭部５と取付筒部１３とに固定ピン１４が貫通されており、第１索条部７の基端部に基端ループ部１９が形成され、取付筒部１３内で基端ループ部１９が固定ピン１４に外嵌されることにより第１索条部７の基部がハンマー本体３に連結されている点にある。
【０００８】
また、本発明の他の技術的手段は、前記第１索条部７が、長手方向に引っ張ることにより弾性変形によって伸長しかつその引張力を解除することによって元の縮小した状態に戻るようにした伸縮自在な螺旋コード７Ａで構成されている点にある。
また、本発明の他の技術的手段は、前記第２索条部８は、複数のリング体２５を屈曲自在に繋いでなるチェーン８Ａで構成され、第２索条部８の先端部に作業者側に着脱自在に連結される連結体２９が設けられている点にある。
【発明の効果】
【０００９】
本発明によれば、工具本体を腰ベルト等に保持している際に、落下防止用の索条部材の第１索条部が工具本体の収納部に収納された状態になるため、工具本体から外方突出した落下防止用の索条部材の長さが短くなり、しかも収納部の外端部から第２索条部が外方突出するため、従来のように落下防止用の索条部材の長手方向の中央部が大きな円弧で湾曲して下方に長く垂れた状態になるのを防ぐことができるため、索条部材が突起物等に引っ掛かるのを効果的に防止できる。
【００１０】
また、工具本体から外方突出した落下防止用の索条部材の長さが短くなるため、落下防止用の索条部材が邪魔にならなくなって、工具本体を工具サックや工具止め輪に対して出し入れし易くなる。しかも、工具本体の一部が第１索条部を収納する収納部とされているので、工具本体に収納部を別途設ける必要がなくなり、工具本体の一部で兼用することができ、それだけ工具の構成部材が少なくなり、工具本体が大型になったり構造が複雑になったりすることがなくなり、構成部材をより少なくして工具を容易かつ安価に製造することができる。
【図面の簡単な説明】
【００１１】
【図１】本発明の一実施形態を示すハンマーの正面断面図である。
【図２】同ハンマーの正面図である。
【図３】同ハンマーを腰ベルトに保持した状態の斜視図である。
【図４】同腰ベルトに装着した工具保持部材の斜視図である。
【発明を実施するための形態】
【００１２】
以下、本発明の実施の形態を図面に基づいて説明する。
図１〜図４は本発明の一実施形態を示している。図１〜図３において、工具であるハンマー１は、工具本体であるハンマー本体３と、落下防止用の索条部材４とを備え、索条部材４はハンマー本体３に連結されている。
ハンマー本体３は、ハンマー頭部５とハンマー柄６とを備え、索条部材４はハンマー本体３に連結される第１索条部７と作業者側に連結される第２索条部８とを備えている。
【００１３】
ハンマー頭部５は、鉄等により構成されて、ハンマー柄６と直交する方向に長い柱状に形成され、ハンマー頭部５の長手方向の両端面が打撃面５ａとされている。
ハンマー頭部５の中央部にハンマー柄６の先端側を内嵌固定するための嵌合孔１１が設けられている。嵌合孔１１はハンマー柄６の長手方向に長い円柱状の孔であってハンマー柄６の突出側（基部側）が開口しその反対側が閉塞している。
【００１４】
ハンマー柄６は、スチールパイプや鉄パイプ等の金属製のパイプ材、硬質合成樹脂製のパイプ材又はグラスファイバー製のパイプ材その他のパイプ材により構成され、第１索条部７を収納する筒状の収納部６Ａとされている。
ハンマー柄６の先端部がハンマー頭部５に内嵌固定される円筒形状の取付筒部１３とされている。ハンマー柄６の取付筒部１３はハンマー頭部５にその嵌合孔１１を介してプレスにより圧入して内嵌されている。ハンマー頭部５と取付筒部１３とに固定ピン１４が貫通されており、これによりハンマー柄６にハンマー頭部５が固定されている。
【００１５】
ハンマー柄６の基部にゴム製又は柔軟な合成樹脂製のグリップ１６が外嵌固定されている。
第１索条部７は伸縮自在な螺旋コード７Ａで構成され、例えば多数の細いステンレス線を撚り合わせた芯線の周りをポリウレタン製の被覆体で被覆して螺旋状に巻回してなり、長手方向に引っ張ることにより、弾性変形によって５〜８倍程度に伸長し、その引張力を解除することによって元の縮小した状態に戻るようになっている。
【００１６】
第１索条部７の基端部に基端ループ部１９が形成され、第１索条部７の先端部に先端ループ部２０が形成されている。基端ループ部１９は螺旋コード７Ａの基端部側を２つ折り状に折り曲げ、そのリング状の折曲部分を残してその折曲端部と折曲基部とをカシメ管２
１で固着してなり、先端ループ部２０は螺旋コード７Ａの先端部側を２つ折り状に折り曲げ、そのリング状の折曲部分を残してその折曲端部と折曲基部とをカシメ管２２で固着してなる。
【００１７】
基端ループ部１９が取付筒部１３内で固定ピン１４に外嵌されることにより第１索条部７の基部がハンマー本体３に連結され、これにより第１索条部７はその先端側が収納部６Ａから繰り出し可能になるように収納部６Ａ内に収納されている。
第２索条部８は、金属又は合成樹脂製の多数のリング体２５を屈曲自在に繋いでなるチェーン８Ａで構成され、縮小した状態の螺旋コード７Ａ及び収納部６Ａの長さよりも長く形成されている。
【００１８】
第２索条部８の基端部のリング体２５が第１索条部７の先端ループ部２０に鎖状に繋がれ、これにより第２索条部８の基部が第１索条部７の先端部に連結されて、第２索条部８が収納部６Ａから外方に突出されている。
第２索条部８の先端部に連結リング２７を介して作業者側に着脱自在に連結される連結体２９が設けられている。連結リング２７は第２索条部８の先端部のリング体２５に鎖状に繋がれて、第２索条部８の先端部に連結されている。
【００１９】
連結体２９は、所謂ナスカンと称される金具により構成されており、この連結体２９は、フック３０とフック３０の開口部を開閉自在に閉鎖する閉鎖片３１とを有する具本体３２と、具本体３２に取付軸廻りに回転自在に支持された連結リング３４とを備え、閉鎖片３１は弾性線材によりリング状に形成されていてフック３０の開口部を閉じる方向（図１の矢印ａ方向）に付勢力を生じるようにその両端部が具本体３２に互いにずらされて係合されている。
【００２０】
連結体２９の連結リング３４は連結リング２７に鎖状に繋がれて、連結体２９が連結リング２７を介して第２索条部８の先端部に連結されている。この連結体２９は、例えば図３に示すように、作業者の作業ズボン等のベルトループ３８に連結され、これにより第２索条部８が作業者側に着脱自在に連結される。作業者の作業ズボン等のベルトループ３８に挿通して腰ベルト３５が作業者側に装着され、この腰ベルト３５に工具保持金具３６が取り付けられている。
【００２１】
図４にも示すように、工具保持金具３６は、腰ベルト３５の外面側に配置される支持板３９と腰ベルト３５の内面側に配置される係合板４０とを備え、支持板３９に工具止め輪３７が水平状に突設されている。
係合板４０が腰ベルト３５の上部に上側から係合されると共に、支持板３９と係合板４０との間で腰ベルト３５を挟持し、これにより工具保持金具３６は腰ベルト３５に着脱自在に装着されている。
【００２２】
前記実施形態によれば、例えば高所で作業をする場合、連結体２９を作業者の作業ズボン等のベルトループ３８に連結すると共に、ハンマー本体３のハンマー柄６を第２索条体８と共に工具保持金具３６の工具止め輪３７に上側から挿入してハンマー頭部５を係合し、これによりハンマー本体３を工具止め輪３７に保持しておく。
そして、作業をする際には、ハンマー本体３を第２索条体８と共に工具止め輪３７から上方に取り出して、ハンマー本体３のハンマー柄６を手に持って作業をすればよい。この際には、螺旋コード７Ａが長手方向に引っ張られて、弾性変形によって５〜８倍程度伸長するので、手に持ったハンマー本体３でスムーズに作業を行うことができる。
【００２３】
このとき、ハンマー本体３が不測に手から外れることがあっても、ハンマー本体３は索条部材４で作業者の腰ベルト３５に連結されているため、ハンマー本体３が高所から大きく落下することを確実に防止できる。
また、ハンマー本体３を腰ベルト３５に取り付けた工具保持金具３６の工具止め輪３７に保持している際に、落下防止用の索条部材４の第１索条部７がハンマー本体３の収納部６Ａに収納された状態になるため、ハンマー本体３から外方突出した落下防止用の索条部材４の長さが短くなり、しかも収納部６Ａの外端部から第２索条部８が外方突出するため、従来のように落下防止用の索条部材４の長手方向の中央部が大きな円弧で湾曲して下方に長く垂れた状態になるのを防ぐことができ、作業者が動き回る際や作業中等に、索条部
材４が突起物等に引っ掛かるのを効果的に防止でき、索条部材４が作業の邪魔にならずに済む。
【００２４】
また、ハンマー本体３から外方突出した落下防止用の索条部材４の長さが短くなるため、落下防止用の索条部材４が邪魔にならなくなり、工具止め輪３７に対してハンマー本体３を出し入れし易くなる。しかも、ハンマー本体３の一部であるハンマー柄６が第１索条部７を収納する収納部６Ａとされているので、ハンマー本体３に収納部６Ａを別途設ける必要がなくなり、ハンマー本体３のハンマー柄６で兼用することができ、それだけハンマー１の構成部材が少なくなり、ハンマー本体３が大型になったり、構造が複雑になったりすることがなくなり、ハンマー１をより少ない構成部材で容易かつ安価に製造することができる。
【００２５】
また、第２索条部８が各リング体２５毎の小間隔で２つ折り状又はＶ字状に屈曲自在になるため、ハンマー本体３を第２索条部８と共に工具止め輪３７に対し上側から簡単に挿入できて保持し易くなる。また、ハンマー本体３を工具止め輪３７に保持している際に、第２索条部８の下部が２つ折り状又はＶ字状に屈曲した状態になるため、この点からも、作業者が動き回る際や作業中等に、索条部材４が突起物等に引っ掛かるのを防止できる。
【００２６】
なお、前記実施形態では、本発明をハンマー１に適用実施しているが、これに代え、モンキーレンチ、ドライバー、ペンチその他の工具に本発明を適用実施するようにしてもよい。この場合、例えば、ドライバー本体の柄部分を筒状に形成して、第１索条部７を繰り出し自在に収納する収納部６Ａとしてもよい。また、ペンチ本体の開閉操作部分の一部を筒状に形成して収納部６Ａとし、この収納部６Ａに第１索条部７を繰り出し自在に収納するようにしてもよい。
【００２７】
また、前記実施形態では、落下防止用の索条部材４の第１索条部７が、伸縮自在な螺旋コード７Ａで構成されているが、これに代え、例えば、第１索条部７を伸縮自在な蛇腹コードやゴムコードで構成し、収納部６Ａ内にその先端側が繰り出し可能になるように収納するようにしてもよい。また、第１索条部７を線状コードで構成し、この線状コードを収納部６Ａ内に組み込んだ巻取機構で巻き取って収納部６Ａからその先端側が繰り出し可能になるようにしてもよい。
【００２８】
また、前記実施形態では、ハンマー本体３を作業者の腰ベルト３５に取り付けた工具保持金具３６の工具止め輪３７にハンマー本体３を着脱自在に保持するようにしているが、これに代え、作業者に装着した腰ベルト３５等に設けた工具サックにハンマー本体３を着脱自在に収納保持するようにしてもよい。
また、前記実施形態では、連結体２９は所謂ナスカンと称される金具により構成しているが、これに代え、連結体２９をより簡単な構造の合成樹脂製のフック部材その他で構成するようにしてもよい。
【００２９】
また、前記実施形態では、第２索条部８はチェーン８Ａで構成されているが、これに代え、第２索条部８を線状コードその他で構成するようにしてもよい。
また、前記実施形態では、第１索条部７と第２索条部８とを別体に構成しているが、これに代え、第１索条部７と第２索条部８とを一体に構成するようにしてもよい。この場合、例えば、第１索条部７を螺旋コードで形成し、第２索条部８をこの螺旋コードと連続一体になった線状コードで構成するようにしてもよい。
【００３０】
また、前記実施形態では、連結体２９を作業ズボン等のベルトループ３８に連結しているが、これに代え、連結体２９を工具保持金具３６の工具止め輪３７や支持板３９その他に連結するようにしてもよい。
【符号の説明】
【００３１】
１      ハンマー（工具）
３      ハンマー本体（工具本体）
４      索条部材
５      ハンマー頭部
６      ハンマー柄
６Ａ    収納部
７      第１索条部
７Ａ    螺旋コード
８      第２索条部
８Ａ    チェーン
１３    取付筒部
１４    固定ピン
１９    基端ループ部
２５    リング体
２９    連結体
【図１】
0006023751.tif 000002
【図２】
0006023751.tif 000003
【図３】
0006023751.tif 000004
【図４】
0006023751.tif 000005